【手続補正書】
【提出日】平成17年2月7日(2005.2.7)
【手続補正１】
【補正対象書類名】明細書
【補正対象項目名】０００６
【補正方法】変更
【補正の内容】
【０００６】
【発明が解決しようとする課題】
ところが、以上の如き送り機構の採用により小サイズ化された筒形ベッドの内部には、前述の如く左右に進退動作するルーパが配してあり、駆動軸としてのルーパ棒、及び該ルーパ棒への取付け手段を含めた前記ルーパの存在が筒形ベッドの更なる小サイズ化を阻害する一因となっている。
【手続補正２】
【補正対象書類名】明細書
【補正対象項目名】０００７
【補正方法】変更
【補正の内容】
【０００７】
図８は、従来のミシンにおけるルーパの取付け部近傍の斜視図である。本図に示す如くルーパ１は、ルーパ棒２の先端部にルーパ台３を介して取付けられている。ルーパ棒２は、ベッド本体Ｂ0 と筒形ベッドＢ1 との境界部に嵌合された円筒形の支持筒20に中途部を挿通させ、軸長方向への摺動自在に支持されており、ベッド本体Ｂ0 の内部に延びるルーパ棒２の基端部は、ベッド本体Ｂ0 に内蔵された公知のルーパ駆動機構（図示せず）に連結されている。
【手続補正３】
【補正対象書類名】明細書
【補正対象項目名】０００８
【補正方法】変更
【補正の内容】
【０００８】
前記ルーパ台３は、固定用のボス部30と、該ボス部30の外側に径方向外向きに突設されたルーパ座31とを備えている。ボス部30は、周壁の一か所に設けた切り欠き部を介して対向する割りフランジ32，32を備えており、これらをねじ33により締め付けることにより内径を縮小する構成となっており、ルーパ台３は、筒形ベッドＢ1 内に延設されたルーパ棒２の先端部に前記ボス部30を外嵌し、前述した締め付けによりルーパ棒２を抱持せしめて取付けられている。
【手続補正４】
【補正対象書類名】明細書
【補正対象項目名】０００９
【補正方法】変更
【補正の内容】
【０００９】
ルーパ１は、基部に略直角をなして突設された支軸10（図９参照）を前記ルーパ座31の端面に形成されたルーパ支持孔11（図９参照）に差し込み、該ルーパ座31の外側からねじ込まれた止めねじ12により抜け止めして、図示の如く、ルーパ棒２の軸心から所定長偏心した位置にて、該ルーパ棒２と逆向きに突出するように取付けられている。
【手続補正５】
【補正対象書類名】明細書
【補正対象項目名】００１０
【補正方法】変更
【補正の内容】
【００１０】
前記ルーパ棒２は、ベッド本体Ｂ0 内部の前記ルーパ駆動機構からの伝動により、軸長方向に所定ストロークの進退動作を行い、また前記支持筒20と共に、軸回りに所定角度の反復揺動を行う。このようなルーパ棒２に前述の如く取付けられたルーパ１は、図中に矢符により示す如く、前記進退動作の方向を長軸とし、前記揺動の角度に対応する幅を有する長円形の軌跡に沿って移動し、この移動の間に、移動軌跡の内側の針落ち位置（Ａ点）に上下動する図示しない針との共動により、筒形ベッドＢ1 の上部に送り込まれる図示しない縫製生地に縫いを形成する動作をなす。
【手続補正６】
【補正対象書類名】明細書
【補正対象項目名】００１１
【補正方法】変更
【補正の内容】
【００１１】
図９は、以上の如きルーパ１及びルーパ棒２の筒形ベッドＢ1 内部での配置を示す図８中のIX−IX線による断面図である。本図に示す如く、ルーパ棒２は、筒形ベッドＢ1 の底部近傍に突設されており、該ルーパ棒２に前記ルーパ台３を介して取付けられたルーパ１は、図示の如く、ルーパ棒２の上方にルーパ座31の突出長に対応する長さだけ偏心して位置し、筒形ベッドＢ1 の上面に架設された針板４の下面に沿って前述した進退動作を行う構成としてある。なお、図９中のＲは、送りローラである。
【手続補正７】
【補正対象書類名】明細書
【補正対象項目名】００１２
【補正方法】変更
【補正の内容】
【００１２】
このようなルーパの取付け構造を有する従来のミシンにおいては、ルーパ棒２の周囲にルーパ台３のボス部30が存在し、更には、ルーパ１の取付けのためのルーパ座31と、ねじ33により締め付けられる割りフランジ32，32とが、前記該ボス部30から径方向に外向き突出するように設けられており、筒形ベッドＢ1 の内側には、前記ボス部30、ルーパ座31及び割りフランジ32，32の全体を受容し得る断面積を確保する必要があり、このことが筒形ベッドＢ1 の小サイズ化を阻害していることがわかる。
【手続補正８】
【補正対象書類名】明細書
【補正対象項目名】００１３
【補正方法】変更
【補正の内容】
【００１３】
本発明は斯かる事情に鑑みてなされたものであり、駆動軸たるルーパ棒へのルーパの取付け構造を改良し、これらを一括して囲繞する筒形ベッドの更なる小サイズ化を実現し、幼児用衣料の袖部等の極小径の筒状縫製物の縫製に容易に対応し得るミシンを提供することを目的とする。
【手続補正９】
【補正対象書類名】明細書
【補正対象項目名】００１７
【補正方法】変更
【補正の内容】
【００１７】
第１，第２発明においては、ルーパ台の基部に一体形成された支軸をルーパ棒の先端面に形成された支持孔に挿入固定し、また第３発明においては、ルーパ棒の先端部の屈曲成形によりルーパ台を一体形成して、自身を除いてルーパ棒の周囲に突出部分のないルーパ台の固定構造を実現し、ルーパ棒、ルーパ台及びルーパを一括して囲繞する筒形ベッドの小サイズ化を図る。
【手続補正１０】
【補正対象書類名】明細書
【補正対象項目名】００１９
【補正方法】変更
【補正の内容】
【００１９】
筒形ベッドＢ1 の内部には、ベッド本体Ｂ0 との境界壁に嵌合支持された円筒形の支持筒20に中途部を挿通され、軸長方向への摺動自在に支持されたルーパ棒２が突設されている。ベッド本体Ｂ0 の内部に延びるルーパ棒２の基端部は、ベッド本体Ｂ0 に内蔵されたルーパ駆動機構に連結されており、筒形ベッドＢ1 内のルーパ棒２は、前記ルーパ駆動機構からの伝動により軸長方向に所定ストロークの進退動作を行い、また前記支持筒20と共に、軸回りに所定角度の反復揺動を行うようになしてある。
【手続補正１１】
【補正対象書類名】明細書
【補正対象項目名】００２０
【補正方法】変更
【補正の内容】
【００２０】
この実施の形態において前記ルーパ１は、ルーパ棒２の先端から径方向外向きに延びるルーパ台５の先端部に、前記ルーパ棒２と平行をなして逆向きに突出するように一体成形されている。
【手続補正１２】
【補正対象書類名】明細書
【補正対象項目名】００２１
【補正方法】変更
【補正の内容】
【００２１】
図２は、図１に示すミシンにおけるルーパ台５及びルーパ１の取付け構造の説明図である。本図に示す如くルーパ台５の基端部には、先端部に一体成形された前記ルーパ１と逆向きに、略直角をなして支軸50が突設されている。このようなルーパ台５が取付けられるルーパ棒２の先端部には、前記支軸50を受容し得る深さを有する支持孔22が、軸心位置に同軸的に形成されており、ルーパ台５は、前記支軸50を支持孔22に挿入し、該支持孔22の周壁を貫通する各別のねじ孔にねじ込まれる２本の止めねじ51，51により抜け止め固定されている。
【手続補正１３】
【補正対象書類名】明細書
【補正対象項目名】００２３
【補正方法】変更
【補正の内容】
【００２３】
このように取付けられたルーパ台５の先端に一体成形されたルーパ１は、ルーパ棒２の前述した進退動作と揺動動作との複合により、図１中に矢符により示す如く、ルーパ棒２の進退動作の方向を長軸とし、揺動の角度に対応する幅を有する長円形の軌跡に沿って移動し、この移動の間に、移動軌跡の内側の針落ち位置（Ａ点）に上下動する図示しない針との共動により、筒形ベッドＢ1 の上部に送り込まれる図示しない縫製生地に縫いを形成する動作をなす。
【手続補正１４】
【補正対象書類名】明細書
【補正対象項目名】００２４
【補正方法】変更
【補正の内容】
【００２４】
なお、このような移動軌跡の左右方向の位置調整は、止めねじ51，51によるルーパ台５の固定に際し、ルーパ棒２の先端面との間にシムを介装してルーパ１の先端位置を変えることにより行われ、前後方向の位置調整は、止めねじ51，51による固定の前に、支軸50の軸回りにルーパ台５を回転せしめて行われる。
【手続補正１５】
【補正対象書類名】明細書
【補正対象項目名】００２５
【補正方法】変更
【補正の内容】
【００２５】
図３は、図１に示すルーパ１及びルーパ棒２の筒形ベッドＢ1 内部での配置を示す図１中の III−III 線による断面図である。ルーパ棒２は、図示の如く、筒形ベッドＢ1 の底部近傍に突設されており、該ルーパ棒２に前記ルーパ台５を介して取付けられたルーパ１は、図示の如く、ルーパ棒２の上方にルーパ台５の長さ分だけ偏心して位置し、筒形ベッドＢ1 の上面に架設された針板４の下面に沿って前述した進退動作を行う構成としてある。
【手続補正１６】
【補正対象書類名】明細書
【補正対象項目名】００２７
【補正方法】変更
【補正の内容】
【００２７】
図３に明らかな如く、ルーパ台５の基部は、ルーパ棒２の外形の内側に収まっており、ルーパ棒２の周囲には、ルーパ１が一体成形されたルーパ台５の先端側に連なる部分を除いて何らの突出部も存在しておらず、筒形ベッドＢ1 の内側には、このようなルーパ台５をルーパ棒２を含めて受容し得る断面積を確保すればよく、従来のミシンにおける図９との比較により、筒形ベッドＢ1 の小サイズ化が実現されていることが明らかである。
【手続補正１７】
【補正対象書類名】明細書
【補正対象項目名】００２８
【補正方法】変更
【補正の内容】
【００２８】
図４は、本発明に係るミシンの第２の実施の形態におけるルーパの取付け部近傍の斜視図である。本図においてルーパ１は、ベッド本体Ｂ0 の一側に連設された筒形ベッドＢ1 内に突設されたルーパ棒２の先端に、ルーパ台６を介して取付けられており、ルーパ台６の構成、及び該ルーパ台６へのルーパ１の取付け構造以外の部分は、図１に示す第１の実施の形態と同じであり、対応する部分に図１と同一の参照符号を付して説明を省略する。
【手続補正１８】
【補正対象書類名】明細書
【補正対象項目名】００２９
【補正方法】変更
【補正の内容】
【００２９】
図５は、図４に示すミシンにおけるルーパ台６及びルーパ１の取付け構造の説明図である。本図に示す如くルーパ台６の基端部には、これと略直交する向きに支軸60が突設されており、このようなルーパ台６が取付けられるルーパ棒２の先端部には、前記支軸60を受容し得る深さを有する支持孔22が、軸心位置に同軸的に形成されており、ルーパ台６は、前記支軸60を支持孔22に挿入し、該支持孔22の周壁を貫通する各別のねじ孔にねじ込まれる２本の止めねじ61，61により抜け止め固定されている。
【手続補正１９】
【補正対象書類名】明細書
【補正対象項目名】００３０
【補正方法】変更
【補正の内容】
【００３０】
この取付けによりルーパ棒２の径方向外向きに延びるルーパ台６の先端には、ルーパ１取付けのためのルーパ座62が形成されており、該ルーパ座62の略中心位置には、前記支軸60と略直交する向きに所定の深さを有してルーパ支持孔63が形成されている。ルーパ１は、図８及び図９に示す従来のミシンにおけるルーパ１と同様、基部に略直角をなして突設された支軸10を備えており、該支軸10を前記ルーパ座62に形成されたルーパ支持孔63に差し込み、該ルーパ支持孔63の周壁にを貫通するねじ孔にねじ込まれる１本の止めねじ64により抜け止め固定して取付けられている。
【手続補正２０】
【補正対象書類名】明細書
【補正対象項目名】００３２
【補正方法】変更
【補正の内容】
【００３２】
このようにルーパ台６の先端に取付けられたルーパ１は、ルーパ台６の基端が固定されたルーパ棒２の軸心から所定長偏心した位置で、該ルーパ棒２と逆向きに突設された状態となり、ルーパ棒２の進退動作と揺動動作との複合により、図４中に矢符により示す如く、進退動作の方向を長軸とし、揺動の角度に対応する幅を有する長円形の軌跡に沿って移動し、この移動と、移動軌跡の内側の針落ち位置（Ａ点）にて生じる図示しない針の上下動とにより、筒形ベッドＢ1 の上部に送り込まれる図示しない縫製生地に縫いを形成する動作をなす。
【手続補正２１】
【補正対象書類名】明細書
【補正対象項目名】００３３
【補正方法】変更
【補正の内容】
【００３３】
なお、このような移動軌跡の左右方向の位置調整は、止めねじ61，61によるルーパ台６の固定に際し、ルーパ棒２の先端面との間にシムを介装してルーパ１の先端位置を変えることにより行われ、前後方向の位置調整は、止めねじ61，61による固定の前に、支軸60の軸回りにルーパ台６を回転せしめて行われる。
【手続補正２２】
【補正対象書類名】明細書
【補正対象項目名】００３４
【補正方法】変更
【補正の内容】
【００３４】
この実施の形態においても、ルーパ１及びルーパ棒２の筒形ベッドＢ1 内部での配置は、前記図３と同じとなり、ルーパ棒２の周囲には、先端のルーパ座62にルーパ１が取付けられたルーパ台６を除いて何らの突出部も存在せず、筒形ベッドＢ1 の小サイズ化を実現することができる。更にこの実施の形態においては、ルーパ１を単独にて交換することが可能となる。
【手続補正２３】
【補正対象書類名】明細書
【補正対象項目名】００３５
【補正方法】変更
【補正の内容】
【００３５】
図６は、本発明に係るミシンの第３の実施の形態におけるルーパの取付け部近傍の斜視図である。本図においてルーパ１は、ベッド本体Ｂ0 の一側に連設された筒形ベッドＢ1 内に突設されたルーパ棒２の先端に、該ルーパ棒２と一体化されたルーパ台７を介して取付けられており、該ルーパ台７の構成、及び該ルーパ台７へのルーパ１の取付け構造以外の部分は、図１に示す第１の実施の形態と同じであり、対応する部分に図１と同一の参照符号を付して説明を省略する。
【手続補正２４】
【補正対象書類名】明細書
【補正対象項目名】００３６
【補正方法】変更
【補正の内容】
【００３６】
図７は、図６に示すミシンにおけるルーパ台７及びルーパ１の取付け構造の説明図である。本図に示す如くルーパ台７は、ルーパ棒２の先端部を、これと略直交するように径方向外向きに屈曲せしめて一体成形されており、該ルーパ台７の先端部には、ルーパ１の取付けのためのルーパ座70が設けられている。ルーパ台７は、例えば、別体に設けた板材又は棒材を溶接等の接合手段によりルーパ棒２の先端に接合し、図示の形態に加工してもよく、また、ルーパ棒２の先端部の削り出しにより、文字通り一体成形してもよい。
【手続補正２５】
【補正対象書類名】明細書
【補正対象項目名】００３７
【補正方法】変更
【補正の内容】
【００３７】
このようなルーパ台７先端のルーパ座70には、その略中心位置に、ルーパ棒２と略直交する向きに所定の深さを有してルーパ支持孔71が形成されている。ルーパ１は、図３及び図４に示す第２の実施の形態におけるルーパ１と同様、基部に略直角をなして突設された支軸10を備えており、該支軸10を前記ルーパ座70に形成されたルーパ支持孔71に差し込み、該ルーパ支持孔71の周壁を貫通するねじ孔にねじ込まれる１本の止めねじ72により抜け止め固定して取付けられている。なお、ルーパ１の抜け止めのための止めねじ72のねじ込み方向及び本数については、第２の実施の形態と同様である。
【手続補正２６】
【補正対象書類名】明細書
【補正対象項目名】００３８
【補正方法】変更
【補正の内容】
【００３８】
このようにルーパ台７の先端に取付けられたルーパ１は、ルーパ台７の基端が一体化されたルーパ棒２の軸心から所定長偏心した位置で、該ルーパ棒２と逆向きに突設された状態となり、ルーパ棒２の進退動作と揺動動作との複合により、図６中に矢符により示す如く、進退動作の方向を長軸とし、揺動の角度に対応する幅を有する長円形の軌跡に沿って移動し、この移動と、移動軌跡の内側の針落ち位置（Ａ点）にて生じる図示しない針の上下動とにより、筒形ベッドＢ1 の上部に送り込まれる図示しない縫製生地に縫いを形成する動作をなす。
【手続補正２７】
【補正対象書類名】明細書
【補正対象項目名】００３９
【補正方法】変更
【補正の内容】
【００３９】
この実施の形態においても、ルーパ１及びルーパ棒２の筒形ベッドＢ1 内部での配置は、前記図３と同じとなり、ルーパ棒２の周囲には、該ルーパ棒２の先端に一体成形されたルーパ台７を除いて何らの突出部も存在せず、筒形ベッドＢ1 の小サイズ化を実現することができる。
【手続補正２８】
【補正対象書類名】明細書
【補正対象項目名】００４０
【補正方法】変更
【補正の内容】
【００４０】
【発明の効果】
以上詳述した如く本発明の第１発明に係るミシンにおいては、先端部にルーパを一体成形してなるルーパ台を、該ルーパ台の基部に設けた支軸をルーパ棒の先端面に形成された支持孔に挿入固定して取付けたから、ルーパ棒の周囲に張り出し部分を要さずにルーパ台及びルーパを固定することができ、ルーパ棒、ルーパ台及びルーパを囲繞する筒形ベッドを小サイズ化することができ、幼児用衣料の袖部等の極小径の筒状縫製物の縫製への対応が可能となる。
【手続補正２９】
【補正対象書類名】明細書
【補正対象項目名】００４１
【補正方法】変更
【補正の内容】
【００４１】
また本発明の第２発明に係るミシンにおいては、先端部にルーパ座を有するルーパ台を、該ルーパ台の基部に設けた支軸をルーパ棒の先端面に形成された支持孔に挿入固定して取付け、前記ルーパ座にルーパを取付けたから、ルーパ棒の周囲に張り出し部分を要さずにルーパ台及びルーパを固定することができ、ルーパ棒、ルーパ台及びルーパを囲繞する筒形ベッドを小サイズ化することができ、幼児用衣料の袖部等の極小径の筒状縫製物の縫製への対応が可能となる。
【手続補正３０】
【補正対象書類名】明細書
【補正対象項目名】００４２
【補正方法】変更
【補正の内容】
【００４２】
更に本発明の第３発明に係るミシンにおいては、先端部にルーパ座を有するルーパ台を、ルーパ棒の先端部を屈曲させて一体形成し、前記ルーパ座にルーパを取付けたから、ルーパ棒の周囲に余分な張り出し部分を要さずにルーパ台及びルーパを固定することができ、ルーパ棒、ルーパ台及びルーパを囲繞する筒形ベッドを小サイズ化することができ、幼児用衣料の袖部等の極小径の筒状縫製物の縫製への対応が可能となる等、本発明は優れた効果を奏する。
【手続補正３１】
【補正対象書類名】明細書
【補正対象項目名】図面の簡単な説明
【補正方法】変更
【補正の内容】
【図面の簡単な説明】
【図１】
本発明に係るミシンの第１の実施の形態におけるルーパの取付け部近傍の斜視図である。
【図２】
図１に示すミシンにおけるルーパ台及びルーパの取付け構造の説明図である。
【図３】
ルーパ及びルーパ棒の筒形ベッド内部での配置を示す図１中の III−III 線による断面図である。
【図４】
本発明に係るミシンの第２の実施の形態におけるルーパの取付け部近傍の斜視図である。
【図５】
図４に示すミシンにおけるルーパ台及びルーパの取付け構造の説明図である。
【図６】
本発明に係るミシンの第３の実施の形態におけるルーパの取付け部近傍の斜視図である。
【図７】
図６に示すミシンにおけるルーパ台及びルーパの取付け構造の説明図である。
【図８】
従来のミシンにおけるルーパの取付け部近傍の斜視図である。
【図９】
ルーパ及びルーパ棒の筒形ベッド内部での配置を示す図８中のIX−IX線による断面図である。
【符号の説明】
１    ルーパ
２    ルーパ棒
５    ルーパ台
６    ルーパ台
７    ルーパ台
22    支持孔
50    支軸
60    支軸
Ａ    針落ち位置
Ｂ    ベッド本体
Ｂ1   筒形ベッド